(57)【要約】      （修正有）【課題】バドミントン競技で使用される人の背丈ほどの得点表示器において、得点表示をする係員が椅子等に座ったままの状態で得点表示をすることができる長尺ハンドルによる巻き取り式得点表示器を提供する。【解決手段】連続して書き込んだ表面と裏面が同じ数字となっている不透明な帯状の左側得点シート３、及び右側得点シート４の両端をそれぞれの巻き取りローラーと巻き戻しローラーに接続して巻きつかせることで、それらローラーとローラーの間に得点を表示する得点表示装置を設け、それぞれのローラーの回転軸に自在継手１４によって接続された長尺な巻き取りハンドル７と巻き戻しハンドル８を回転させてシートを巻き取ったり巻き戻したりすることで、得点を表示する。【選択図】図１
0003211423.tif 000002
【実用新案登録請求の範囲】
【請求項１】
連続して書き込んだ表面と裏面が同じ得点数字となっている不透明な帯状の得点表示シートの両端をそれぞれ巻き取りローラーと巻き戻しローラーに接続して巻きつかせ、それらローラーとローラーの間に得点数字を表示し、それぞれのローラーを回転させることで、得点表示を進めたり戻したりする得点表示装置において、巻き取りローラー及び巻き戻しローラーの回転軸に自在継手を介して長尺なハンドルを設け、そのハンドルを回転させることによってローラーを回転させて得点を表示する長尺ハンドルによる巻き取り式得点表示器。
【請求項２】
巻き戻しローラーの回転軸と自在継手の間にハンドルの回転よりも巻き戻しローラーの回転が速くなるように変速ギヤーを取り付けた巻き戻し装置を設けた請求項１の長尺ハンドルによる巻き取り式得点表示器。
【考案の詳細な説明】
【技術分野】
【０００１】  本考案は、たとえば、バドミントン競技で使用される人の背丈ほどの得点表示器において、得点表示をする係員が椅子等に座ったままの状態で得点表示をすることができるようにするため、高い位置にある連続した帯状の得点表示シートを長尺なハンドルを回転させることで巻き取りや巻き戻しを行うことにより、得点を表示する長尺ハンドルによる巻き取り式得点表示器に関するものである。
【背景技術】
【０００２】  特にもバドミントン競技においては、選手や観客等に見やすいように人の背丈ほどの位置に０から３０までの点数をそれぞれ表示した３０枚のシートを束ねたものを左右に一束ずつ設置し、それぞれを１枚ずつめくることで得点を表示する得点表示器が有り、多く使用されている。
【先行技術文献】
【特許文献】
【０００３】
【特許文献１】実開平２−３０３７７号公報
【特許文献２】登録実用新案第３０６１９１４号公報
【考案の概要】
【考案が解決しようとする課題】
【０００４】（イ）前述の得点表示器では、得点表示を担当する係員が椅子に座り、得点のたびに立ち    上がって得点シートをめくらなければならないため係員の疲労が大きかった。
（ロ）都度立ち上がるのが面倒なため、座らずに立ったまま作業をすると、係員自身が疲    れると同時に係員の陰となり、係員の後方からは、得点表示が見難くなるため観客等    にとっては、不具合が生じていた。
【課題を解決するための手段】
【０００５】  連続して書き込んだ表面と裏面が同じ得点数字となっている不透明な帯状の得点表示シートの両端をそれぞれ巻き取りローラーと巻き戻しローラーに接続して巻きつかせて、それらローラーとローラーの間に得点を表示する得点表示装置を設け、それぞれのローラーの回転軸に自在継手を介して接続された椅子等に座ったままで操作できる程度の長さの長尺なハンドルを設け、そのハンドルを回転することでローラーを回転させて得点表示シートを巻き取ったり巻き戻したりすることで得点を表示する得点表示器。
本考案は、以上の構成により問題点を解決している。
【考案の効果】
【０００６】（イ）係員は、椅子に座ったままの状態で巻き取りハンドルや巻き戻しハンドルを回転さ    せることで得点表示を行うことができる。
（ロ）係員の負担が軽減され、得点表示が係員の陰となって見え難くなることもない。
【図面の簡単な説明】
【０００７】
【図１】  本考案の全体の斜視図
【図２】  本考案のガイドカバーを外した分解斜視図
【図３】  本考案の装置の分解斜視図
【図４】  本考案の左側得点シートの正面図  （ａ）は、正面から見た左側得点シートの説明図  （ｂ）は、左側得点シートを裏側から見た場合の説明図
【図５】  本考案の右側得点シートの正面図  （ａ）は、正面から見た右側得点シートの説明図  （ｂ）は、右側得点シートを裏側から見た場合の説明図
【図６】  本考案の使用状態を示した側面図
【考案を実施するための形態】
【０００８】  本考案の得点表示器の右と左に位置する得点表示装置は、連続して書き込んだ表面と裏面が同じ得点数字となっている不透明な帯状の得点表示シートをそれぞれに巻き込んだ巻き取りローラーと巻き戻しローラーの間に得点を表示し、それぞれのローラーは、得点表示枠に回転軸を中心に回転できるように取り付けられ、ガイドカバーで囲われている。
それぞれのローラーの回転軸は、自在継手を介して長尺なハンドルに繋がり、そのハンドルを回転することにより、椅子等に座ったままで得点表示を進めたり戻したりすることが可能となる。
【実施例】
【０００９】  以下、添付図面に従って一実施例を説明する。
最初に図１に示す左側の装置について図２と図３で説明する。
図３において、左側得点表示枠１には、巻き取りハンドル７が自在継手１４によって接続された巻き取りローラー５と大小１個ずつで構成される巻き戻し変速ギヤー１５を介した巻き戻しハンドル８が接続された巻き戻しローラー６の双方に左側得点シート３が巻きついた状態で図２のように組み込まれ、巻き戻し変速ギヤー１５はギヤーボックス１３の内部に組み込まれる。【００１０】  また、図３において、左側装置の巻き取りローラー５には左側得点シート３の０点側が接続され、巻き戻しローラー６には左側得点シート３の３０点側が接続される。
このとき、巻き取りローラー５で巻き取りするときの回転方向を時計回りとするため、巻き取りハンドル７の回転方向も時計回りとする。
一方、巻き戻しローラー６は、巻き戻し変速ギヤー１５を介すことにより巻き戻しハンドル８の回転方向を反時計回りで巻き取る。
このことで、本装置を操作する係員が巻き取りと巻き戻しを感覚的にとらえやすいようにする。【００１１】  同様に右側の装置について説明する。
右側装置は、左側装置と右左逆になる。
図１に示す右側の装置について、図２と図３で説明する。
図３において、右側得点表示枠２には、巻き取りハンドル７が自在継手１４によって接続された巻き取りローラー５と大小１個ずつで構成される巻き戻し変速ギヤー１５を介した巻き戻しハンドル８が接続された巻き戻しローラー６の双方に右側得点シート４が巻きついた状態で図２のように組み込まれ、巻き戻し変速ギヤー１５はギヤーボックス１３の内部に組み込まれる。【００１２】  また、図３において、右側装置の巻き取りローラー５には右側得点シート４の０点側が接続され、巻き戻しローラー６には右側得点シート４の３０点側が接続される。
このとき、巻き取りローラー５で巻き取りするときの回転方向を時計回りとするため、巻き取りハンドル７の回転方向も時計回りとする。
一方、巻き戻しローラー６は、巻き戻し変速ギヤー１５を介すことにより巻き戻しハンドル８の回転方向を反時計回りで巻き取る。
このことで、本装置を操作する係員が巻き取りと巻き戻しを感覚的にとらえやすいようにする。【００１３】  また、巻き戻し変速ギヤー１５は、各ゲームが終了したら、速やかに元の０対０に戻す必要があるため、巻き戻しローラー６を高速で回転させるためにも設置する。【００１４】  なお、自在継手１４は、図６に示すように実際の使用時に斜め下方からローラーに回転を伝えるためのものである。
ここではリングを２個掛け合わせた形状としているが、自在継手であれば何でも良い。
【符号の説明】
【００１５】  １  左側得点表示枠
２  右側得点表示枠
３  左側得点シート
４  右側得点シート
５  巻き取りローラー
６  巻き戻しローラー
７  巻き取りハンドル
８  巻き戻しハンドル
９  左表面ガイドカバー
１０  左裏面ガイドカバー
１１  右表面ガイドカバー
１２  右裏面ガイドカバー
１３  ギヤーボックス
１４  自在継手
１５  巻き戻し変速ギヤー
【図１】
0003211423.tif 000003
【図２】
0003211423.tif 000004
【図３】
0003211423.tif 000005
【図４】
0003211423.tif 000006
【図５】
0003211423.tif 000007
【図６】
0003211423.tif 000008